【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
車両カーゴランプシステムであって、
ドッキングステーションと、
第１のハウジングを含むカーゴランプと、
第２のハウジングを含む懐中電灯／カーゴランプとを備え、前記ドッキングステーションは１つ以上の装着特徴を含み、前記第１および第２のハウジングは、前記ドッキングステーションの装着特徴と嵌め合わさる共通の装着要素を含み、これにより前記カーゴランプおよび前記懐中電灯／カーゴランプを相互交換可能に前記ドッキングステーションへ装着することが可能となる、システム。
【請求項２】
前記ドッキングステーションの前記装着特徴は、
前記ドッキングステーションの第１の端に形成され、前記カーゴランプの前記第１のハウジングの第１の部分または前記懐中電灯／カーゴランプの前記第２のハウジングの第１の部分を挿入可能なくぼんだ空洞と、
前記ドッキングステーションの第２の端に形成され、前記カーゴランプの前記第１のハウジングの第２の部分または前記懐中電灯／カーゴランプの前記第２のハウジングの第２の部分を固定するロック特徴とを含む、請求項１に記載の車両カーゴランプシステム。
【請求項３】
前記くぼんだ空洞は、前記ドッキングステーションの３つの側部、前記ドッキングステーションの底部、および前記ドッキングステーションの頂部に形成される口縁によって形成される、請求項２に記載の車両カーゴランプシステム。
【請求項４】
前記カーゴランプおよび前記懐中電灯／カーゴランプは、前記カーゴランプおよび懐中電灯／カーゴランプの一方が前記ドッキングステーションへ装着された後に前記ドッキングステーションから取外し可能である、請求項１に記載の車両カーゴランプシステム。
【請求項５】
前記ドッキングステーションは、前記カーゴランプまたは前記懐中電灯／カーゴランプの取外しを可能にする解放機構を含む、請求項４に記載の車両カーゴランプシステム。
【請求項６】
前記懐中電灯／カーゴランプは、前記懐中電灯／カーゴランプの前記ドッキングステーションからの取外しを可能にするハンドルを含む、請求項４に記載の車両カーゴランプシ
ステム。
【請求項７】
前記ハンドルは少なくとも１つの充電式電池を収容する、請求項６に記載の車両カーゴランプシステム。
【請求項８】
前記ドッキングステーションは、前記カーゴランプまたは前記懐中電灯／カーゴランプ内の相補の電気コンタクトと嵌め合わさる電気コンタクトを含む、請求項１に記載の車両カーゴランプシステム。
【請求項９】
前記懐中電灯／カーゴランプは少なくとも１つの充電式電池を含む、請求項１に記載の車両カーゴランプシステム。
【請求項１０】
前記懐中電灯／カーゴランプはさらに、前記懐中電灯／カーゴランプが前記ドッキングステーション内に装着されると前記電池を再充電できるように、前記電池の再充電を可能にする電気回路を含む、請求項９に記載の車両カーゴランプシステム。
【請求項１１】
前記カーゴランプおよび前記懐中電灯／カーゴランプは両方とも、前記ドッキングステーション内に装着されている間少なくとも共通の照明機能を果たすよう適合される、請求項１に記載の車両カーゴランプシステム。
【請求項１２】
車両カーゴランプシステムであって、
ドッキングステーションと、
光源とを備え、前記光源は複数の異なる光源装置から選択され、前記光源装置の各々は、相互交換可能に前記ドッキングステーションへ装着されることができるように共通の装着要素を有するハウジングを有し、前記光源装置の各々はさらに、前記ドッキングステーションへ装着されている間少なくとも共通のカーゴ照明機能を果たすよう適合される、システム。
【請求項１３】
前記ドッキングステーションは、前記光源装置の前記装着要素と嵌め合わさる１つ以上の装着特徴を含む、請求項１２に記載の車両カーゴランプシステム。
【請求項１４】
前記ドッキングステーションの前記装着特徴は、第１の端に形成されるくぼんだ空洞および第２の端に形成されるロック特徴を含み、前記第１および第２の端は、前記光源を前記ドッキングステーション内に受けて固定するよう適合される、請求項１３に記載の車両カーゴランプシステム。
【請求項１５】
前記くぼんだ空洞は、前記ドッキングステーションの３つの側部、前記ドッキングステーションの底部、および前記ドッキングステーションの頂部に形成される口縁によって形成される、請求項１４に記載の車両カーゴランプシステム。
【請求項１６】
前記ドッキングステーションの前記装着特徴は、前記ドッキングステーションの中央の凹部の対向端に形成される、請求項１４に記載の車両カーゴランプシステム。
【請求項１７】
前記ドッキングステーションは、前記光源装置が前記ドッキングステーション内に装着されると前記光源装置に係合するリブを有する底面を含む、請求項１６に記載の車両カーゴランプシステム。
【請求項１８】
前記光源装置はカーゴランプである、請求項１２に記載の車両カーゴランプシステム。
【請求項１９】
前記光源装置は懐中電灯／カーゴランプである、請求項１２に記載の車両カーゴランプ
システム。
【請求項２０】
前記ドッキングステーションは、前記光源装置を前記ドッキングステーションから取外すための解放機構を備える、請求項１２に記載の車両カーゴランプシステム。
【請求項２１】
前記ドッキングステーションは、前記カーゴランプまたは前記懐中電灯／カーゴランプ内の相補の電気コンタクトと嵌め合わさる電気コンタクトを含む、請求項１２に記載の車両カーゴランプシステム。
【請求項２２】
前記光源装置は少なくとも１つの充電式電池を含む、請求項１２に記載の車両カーゴランプシステム。
【請求項２３】
前記光源装置はさらに、前記光源装置が前記ドッキングステーション内に装着されると前記電池を再充電できるように、前記電池の再充電を可能にする電気回路を含む、請求項２２に記載の車両カーゴランプシステム。
【請求項２４】
車両カーゴランプシステムであって、
装着特徴を有する凹部および前記凹部内に位置する電気コンタクトを含むドッキングステーションと、
前記ドッキングステーションの前記装着特徴と嵌め合わさる第１の装着要素を有する第１のハウジングを含むカーゴランプとを備え、前記カーゴランプは、前記カーゴランプが前記凹部へ装着されると前記ドッキングステーションの前記電気コンタクトに接続する第１の電気コンタクトの組をさらに含み、前記車両カーゴランプシステムはさらに
少なくとも１つの充電式電池を有し、前記カーゴランプの前記第１の装着要素に共通の第２の装着要素を有する第２のハウジングを含む懐中電灯／カーゴランプを備え、前記第２の装着要素は前記ドッキングステーションの前記装着特徴と嵌め合わさり、前記懐中電灯／カーゴランプはさらに、前記懐中電灯／カーゴランプが前記凹部へ装着されると前記ドッキングステーションの前記電気コンタクトに接続する第２の電気コンタクトの組を含み、
前記カーゴランプおよび前記懐中電灯／カーゴランプは、前記カーゴランプおよび懐中電灯／カーゴランプの一方が前記ドッキングステーションへ装着された後に前記ドッキングステーションから取外し可能なように前記ドッキングステーション内で相互交換可能であり、前記カーゴランプおよび前記懐中電灯／カーゴランプはさらに、前記ドッキングステーション内に装着されている間少なくとも共通の照明機能を果たすよう適合される、システム。